(57)【特許請求の範囲】
【請求項１】
電子部品を収容するケース本体と、
前記ケース本体の厚さ方向一方面を表面とし厚さ方向他方面を裏面としたときの表面側に配され且つタッチペンによる外部操作が可能なタッチパネルと、
前記ケース本体の裏面側に着脱可能に取り付けられるベルトユニットと、
を備えた携帯端末であって、
前記ベルトユニットは、当該ベルトユニットが前記ケース本体に取り付けられたときに前記ケース本体の前記裏面側の壁部と重なる積層形態で配されるベルト部材を有し、
前記ベルトユニットに、少なくとも２つのタッチペン収容部が設けられており、
それらタッチペン収容部は、前記ベルトユニットが前記ケース本体に取り付けられたときに前記ベルト部材の両側方に配され且つ前記ベルト部材よりも前記裏面から突出するように構成されており、両タッチペン収容部の裏面からの突出量が略均等とされていることを特徴とする携帯端末。
【請求項２】
前記ベルトユニットは、前記ベルト部材を保持する保持部材を備え、
２つの前記タッチペン収容部は、前記保持部材において前記ベルト部材の両側方に設けられていることを特徴とする請求項１に記載の携帯端末。
【請求項３】
前記ケース本体には、前記裏面側に突出して配され、且つ光学情報媒体を読み取る読取口が設けられており、
前記ケース本体の前記裏面側を平坦な載置面上に当接させるように載置したときに、前記読取口の端部と、２つの前記タッチペン収容部とが前記載置面に当接して支持されることを特徴とする請求項１又は請求項２に記載の携帯端末。
【請求項４】
前記ケース本体は長手状に構成され、
前記読取口は、前記ケース本体の長手方向一端部側に設けられ、
２つの前記タッチペン収容部は、前記ケース本体の長手方向他端部寄りに設けられていることを特徴とする請求項３に記載の携帯端末。
【請求項５】
２つの前記タッチペン収容部は、互いに略平行となるように設けられていることを特徴とする請求項１から請求項４のいずれか一項に記載の携帯端末。
【請求項６】
前記ケース本体の前記表面側において複数の操作ボタンが配列されたボタン領域が設けられており、
２つの前記タッチペン収容部は、前記ボタン領域の裏側に配置されることを特徴とする請求項１から請求項５のいずれか一項に記載の携帯端末。
【発明の詳細な説明】
【技術分野】
【０００１】
本発明は、携帯端末に関するものである。
【背景技術】
【０００２】
携帯型コードリーダ等の携帯端末は、一般的に数多くの電子部品がケース内に収容されて端末本体が構成されており、このような装置本体を様々な場所に携帯して使用することを想定している。この種の携帯端末では、落下防止のため、例えば特許文献１で開示される装置では、ケース本体の裏面側にベルト部材を取り付けている。
【先行技術文献】
【特許文献】
【０００３】
【特許文献１】特許第４２０７０３６号公報
【発明の概要】
【発明が解決しようとする課題】
【０００４】
ところで、このように装置本体の裏面側にベルト部材を取り付ける構造の場合、装置本体を机などの載置面上に載置したときに裏面側から突出するベルト部材が載置面に当接してしまい、この当接位置よりも幅方向一方側或いは幅方向他方側が低くなるように傾くといった不安定な載置状態となってしまう懸念がある。特に、上記のような携帯端末では、端末本体を把持した状態で操作部を操作するだけでなく、机などの載置面上に端末本体を載置した状態で操作部を操作する場合も多いため、端末本体を載置面上に安定的に載置して表面側からの外部操作を行い得る構成が求められている。
【０００５】
一方、特許文献１の技術では、このように端末本体を載置面上に載置して操作する際のグラつき等を抑えるために、端末本体の裏面側の四隅に突起部を設けており、端末本体が載置面上に載置されたときに、四隅に配置された突起部が載置面に当接して支持されるようになっている。この構成によれば、端末本体を載置面上に載置した状態で操作部に対して外部操作を行う際にグラつき等が生じ難くなり、安定的な載置状態で良好に操作を行うことができる。しかしながら、特許文献１の構成では、四隅に突起部を設けるが故に、この突起部が邪魔となって操作性が低下したり、携帯端末が大型化してしまうなどの問題があった。
【０００６】
また、近年では、端末本体の表面側にタッチパネルが設けられた構成が提供されつつある。このようにタッチパネルを用いる構成では、操作用のタッチペンを着脱容易な状態で、且つスペース的に無駄のないように効率的に収容することが求められている。しかしながら特許文献１にはタッチペンの収容に関する示唆はなく、前記した四隅の突起部は、他の用途として機能し得ないため、携帯端末における装置構成上、改善の余地があった。
【０００７】
本発明は、上述した課題を解決するためになされたものであり、ケース本体の表面側にタッチパネルが設けられ裏面側にベルト部材が取り付けられる携帯端末において、装置構成の複雑化を伴うことなくタッチペンを収容することができ、且つ端末を載置面上に安定的に載置して表面側からの外部操作を行い得る構成を提供することを目的とする。
【課題を解決するための手段】
【０００８】
本発明は、電子部品を収容するケース本体と、前記ケース本体の厚さ方向一方面を表面とし厚さ方向他方面を裏面としたときの表面側に配され且つタッチペンによる外部操作が可能なタッチパネルと、前記ケース本体の裏面側に着脱可能に取り付けられるベルトユニットと、を備えた携帯端末であって、前記ベルトユニットは、当該ベルトユニットが前記ケース本体に取り付けられたときに前記ケース本体の前記裏面側の壁部と重なる積層形態で配されるベルト部材を有し、前記ベルトユニットに、少なくとも２つのタッチペン収容部が設けられており、それらタッチペン収容部は、前記ベルトユニットが前記ケース本体に取り付けられたときに前記ベルト部材の両側方に配され且つ前記ベルト部材よりも前記裏面から突出するように構成されており、両タッチペン収容部の裏面からの突出量が略均等とされていることを特徴とする。
【発明の効果】
【０００９】
請求項１の発明では、ベルトユニットがケース本体に取り付けられたときにケース本体の裏面側の壁部と重なる積層形態で配されるようにベルト部材が設けられている。このように構成されているため、例えば、ユーザはベルト部材間或いはベルト部材とケース本体の間に手を通すようにケース本体を把持することができ、このように把持して用いる場合には、仮に把持する手に緩みや滑りが生じたとしても、装置が完全に落下する前にベルト部材が手に引っ掛かりやすく、装置が完全に落下してしまうことを防ぎやすくなる。
また、ベルトユニットに、少なくとも２つのタッチペン収容部が設けられており、それらタッチペン収容部は、ベルトユニットがケース本体に取り付けられたときにベルト部材の両側方に配され且つベルト部材よりも裏面から突出するように構成されており、両タッチペン収容部の裏面からの突出量が略均等とされている。この構成によれば、ベルト部材の側方のスペースを効率的に利用してタッチペンを収容することができる。また、携帯端末を平坦な載置面上に載置したときにベルト部材のみが載置面に当接するようなことがなく、少なくともベルト部材の両側方に配置される２つのタッチペン収容部が載置面に当接するようになる。従って、ベルト部材のみが載置面に支持されることに起因する不安定な載置状態が生じなくなり、ある程度の距離を隔てた２つのタッチペン収容部が載置面に支持されるような安定的な載置状態となる。
【００１０】
請求項２の発明では、ベルトユニットが、ベルト部材を保持する保持部材を備えており、２つのタッチペン収容部が、保持部材においてベルト部材の両側方に設けられている。この構成によれば、ケース本体からタッチペン収容部を省略することができ、ケース本体の構成、形状を簡素化することができる。特に、ケース本体とは別部材で構成される保持部材にタッチペン収容部を設けることで、ケース本体の設計的な自由度を大きくすることができる。
【００１１】
請求項３の発明において、ケース本体には、裏面側に突出して配され、且つ光学情報媒体を読み取る読取口が設けられている。また、ケース本体の裏面側を平坦な載置面上に当接させるように載置したときに、読取口の端部と、２つのタッチペン収容部とが載置面に当接して支持されるようになっている。
この構成によれば、携帯端末を載置面に載置したときに読取口と２つのタッチペン収容部とを載置面に当接させて安定化を図ることができる。即ち、互いに距離を隔てた少なくとも３位置が載置面に支持されることになるため、２つのタッチペン収容部が対向する方向だけでなく、他の方向への傾き、グラつきも抑制することができ、載置時の一層の安定化を図ることができる。
【００１２】
請求項４の発明では、ケース本体が長手状に構成され、読取口は、ケース本体の長手方向一端部側に設けられている。そして、２つのタッチペン収容部は、ケース本体の長手方向他端部寄りに設けられている。
この構成では、携帯端末を載置面に載置したときに、ケース本体の幅方向のグラつき、傾きについては、２つのタッチペン収容部を載置面に支持させることで抑制することができる。また、ケース本体の長手方向（前後方向）のグラつき、傾きについては、長手方向一端側において読取口を載置面に支持させ、他端側において２つのタッチペン収容部を載置面に支持させることで抑制することができる。つまり、把持しやすい長手状のケース本体を構成しつつ載置時には長手方向のグラつき、傾きについても、幅方向のグラつき、傾きについても効果的に抑制することができ、安定的な載置、操作が可能となる。
【００１３】
請求項５の発明では、２つのタッチペン収容部が、互いに略平行となるように設けられている。この構成によれば、携帯端末を平坦な載置面上に載置したときに、２つのタッチペン収容部を当該載置面に対して全体的にバランス良く密着させることができ、よりバランス良く安定的に載置することができる。
【００１４】
請求項６の発明では、ケース本体の表面側において複数の操作ボタンが配列されたボタン領域が設けられており、２つのタッチペン収容部は、ボタン領域の裏側に配置されている。
この構成によれば、携帯端末を平坦な載置面上に載置したときに、少なくともボタン領域の裏側において２つのタッチペン収容部が載置面に安定的に支持されることになる。従って、ボタン領域の操作ボタンを押圧操作する際に、押圧操作に起因するグラつきや傾きをより低減することができ、操作性を効果的に高めることができる。
【図面の簡単な説明】
【００１５】
【図１】図１（Ａ）は、第１実施形態に係る携帯端末を概略的に例示する平面図であり、図１（Ｂ）は、図１（Ａ）の携帯端末の側面図である。
【図２】図２（Ａ）は、図１の携帯端末の電気的構成を概略的に例示するブロック図である。図２（Ｂ）は、図２（Ａ）の情報コード読取部の構成を例示するブロック図である。
【図３】図３は、第１実施形態に係る携帯端末を概略的に例示する底面図である。
【図４】図４は、第１実施形態に係る携帯端末を概略的に例示する背面図である。
【図５】図５は、ベルトユニットの構成を概略的に例示する説明図であり、図５（Ａ）は、ベルト部材を伸ばした状態を示すものであり、図５（Ｂ）は、ベルト部材を折り曲げて圧着固定した状態を示すものである。
【発明を実施するための形態】
【００１６】
[第１実施形態]
以下、本発明の携帯端末を具現化した第１実施形態について、図面を参照して説明する。なお、本発明の携帯端末を、バーコードや二次元コードなどの情報コード（光学情報媒体）を読み取る携帯型情報読取装置に適用した構成を例に挙げて説明する。
（全体構成）
まず、図１〜図４等を参照して第１実施形態に係る携帯端末１の全体構成について説明する。なお、図１（Ａ）は、第１実施形態に係る携帯端末を概略的に例示する平面図であり、図１（Ｂ）は、図１（Ａ）の携帯端末の側面図である。図２（Ａ）は、図１の携帯端末の電気的構成を概略的に例示するブロック図である。図２（Ｂ）は、図２（Ａ）の情報コード読取部の構成を例示するブロック図である。図３は、第１実施形態に係る携帯端末を概略的に例示する底面図である。図４は、第１実施形態に係る携帯端末を概略的に例示する背面図である。
【００１７】
図１に示すように、携帯端末１は、全体的に長手状に構成されており、長手状のケース５０によって外郭が構成され、このケース５０の内部に各種部品（各種電子部品等）が収容されている。ケース５０は、主に上ケース５１と下ケース５２とから構成され、箱状形態をなしており、例えば樹脂材料などから形成されている。また、ケース５０には電池（図示略）を収容する電池収容部（図示略）を開閉するための着脱可能な電池蓋（図示略）などが設けられている。なお、ケース５０は、「ケース本体」の一例に相当する。
【００１８】
本実施形態では、ケース５０の長手方向を前後方向とし、読取口７（後述）が形成された側を前方側、それとは反対側を後方側としている。また、ケース５０の厚さ方向を上下方向とし、操作ボタン１４ａや表示装置４が設けられた側を上方側、それとは反対側を下方側としている。また、これら前後方向及び上下方向と直交する方向を幅方向（横方向）としている。なお、図１、図３、図４等では前後方向をＸ軸方向として示しており、上下方向をＹ軸方向として示している。また、幅方向（横方向）をＺ軸方向として示している。さらに、ケース５０の上面は、「厚さ方向一方面」に相当する。また、ケース５０の下面は、「厚さ方向他方面」の一例に相当する。
【００１９】
ケース５０の前方側（長手方向一端部側）には情報コードからの反射光を取り込む読取口７が形成されている。この読取口７は、ケース５０の内部に外部からの光を取り込みうる開口形状となっており、その開口が透明部材（例えば透明の樹脂部材）によって閉塞された構成をなしている。
【００２０】
また、携帯端末１には、ケース５０から露出する形態で様々な部品が設けられている。例えば、ケース５０の上面側（表面側）において、前側の位置（具体的には前方側半分の領域）には表示装置４が設けられている。この表示装置４は、タッチパネル５を備えており、外部操作可能且つ情報表示可能に構成されている。タッチパネル５は、例えば公知のタッチパネルとして構成され、外面部に入力部が設けられており、使用者が表示装置４の表示画面４ａをタッチペン（図示略）などで押圧したときにその押圧操作に対応する情報が入力されるようになっている。
【００２１】
さらに、上面側には、複数の操作ボタン１４（数字キーや機能キー等）が配列されたボタン領域αが設けられている。そして、ケース５０の側面側（幅方向）には、読取指示用のトリガスイッチ１３などが設けられている。また、ケース５０の後方側には充電端子４５（図４参照）が外部に露出して設けられており、この充電端子４５を介してケース５０の外部（充電装置など）から電力が電池１７に供給されるようになっている。さらに、携帯端末１は、ケース５０の下面側に、着脱可能に取り付けられたベルトユニット６０と、スピーカ１２を備えている。ベルトユニット６０の構成については、後で詳しく説明する。
【００２２】
（電気的構成）
次に、本第１実施形態に係る携帯端末１の電気的構成について説明する。携帯端末１におけるケース５０の内部には、図２（Ａ）に示すように、携帯端末１全体を制御する制御部１０が設けられている。この制御部１０は、マイコンを主体として構成されるものであり、ＣＰＵ、システムバス、入出力インタフェース等を有しており、メモリ１６と協働して情報処理手段として機能している。また、制御部１０には、表示装置４、スピーカ１２、トリガスイッチ１３、操作ボタン１４、外部インタフェース１５なども接続されている。
【００２３】
トリガスイッチ１３や操作ボタン１４は、制御部１０に対して操作信号を与える構成をなしており、制御部１０は、これらからの操作信号を受けて操作信号の内容に応じた各種制御を行う。表示装置４は、制御部１０からの指令を受けて様々な表示動作が行われるようになっている。外部インタフェース１５は、外部（例えばホスト装置）との間でのデータ通信を行うためのインタフェースとして構成されており、制御部１０と協働して通信処理を行うように構成されている。また、ケース５０内には、電源となる電池１７や電源部１８が設けられている。電池１７は、充電可能な二次電池（例えばリチウムイオン電池等）によって構成され、電源部１８は、公知の電源回路などによって構成されており、これらによって制御部１０や各種電気部品に電力が供給されるようになっている。
【００２４】
また、制御部１０には、情報コード読取部３０が接続されている。この情報コード読取部３０は、図３（Ｂ）に示すように、ＣＣＤエリアセンサ等の受光センサ３３、結像レンズ３７、複数個のＬＥＤやレンズ等から構成される照明部３１などを備えた構成をなしており、制御部１０と協働して読取対象Ｒに付された情報コードＣを読み取るように機能する。この情報コード読取部３０によって読み取りを行う場合、まず、制御部１０によって指令を受けた照明部３１から照明光Ｌｆが出射され、この照明光Ｌｆが読取口７（図１）を通って読取対象Ｒに照射される。そして、照明光Ｌｆが情報コードＣにて反射した反射光Ｌｒは、読取口７を通って装置内に取り込まれ、結像レンズ３７を通って受光センサ３３に入射する。読取口７と受光センサ３３との間に配される結像レンズ３７は、情報コードＣの像を受光センサ３３上に結像させる構成をなしており、受光センサ３３はこの情報コードＣの像に応じた受光信号を出力する。受光センサ３３から出力された受光信号は、画像データとしてメモリ１６（図２（Ａ））に記憶され、デコード処理に用いられる。なお、情報コード読取部３０には、受光センサ３３からの信号を増幅する増幅回路や、その増幅された信号をデジタル信号に変換するＡＤ変換回路等が設けられているがこれらの回路については図示を省略している。
【００２５】
（特徴的構成）
次に、図３〜図５等を参照し、本実施形態の特徴的構成について詳述する。なお、図５は、ベルトユニットの構成を概略的に例示する説明図であり、図５（Ａ）は、ベルト部材を伸ばした状態を示すものであり、図５（Ｂ）は、ベルト部材を折り曲げて圧着固定した状態を示すものである。本実施形態に係る携帯端末１は、図３に示すように、ケース５０の下面側の壁部５０ｂの下方側に重なるように、着脱可能にベルトユニット６０が取り付けられている。
【００２６】
ここで、ケース５０について更に詳述すると、図１等に示すように、ケース５０は、上面側の壁部５０ａと下面側の壁部５０ｂとが上下に対向して配置されており、左右には一対の壁部５０ｃ，５０ｄ（側壁部）が設けられている。また、図１（Ｂ）に示すように、ケース５０の中央部付近は前後方向に延びており、前端部は前後方向に延びる中央部付近に対して斜めに折れ曲がるように前側且つ下側に斜めに突出している。読取口７は、このように斜め下方に突出する前端部の先端側に開口形態で形成されている。本実施形態では、ケース５０の下面側を載置面に当接させるようにケース５０を載置したときに、載置面が平坦であればケース５０の読取口７付近と、後述する２つのタッチペン収容部６７とが載置面Ｆ（図４参照）に当接するように載置面上に支持されるようになっている。
【００２７】
次にベルトユニット６０について説明する。
図５に示すように、ベルトユニット６０は、ベルト部材６２と、保持部材６５と、タッチペン収容部６７とを備えている。
ベルト部材６２は、例えば、合成繊維、或いはゴム等の弾性材料などによって帯状の部材として構成されており、その幅は、当該携帯端末１をケース５０の下面側（下ケース５２側）から把持するユーザの手を下ケース５２との間で挟込可能な程度に設定されている。このベルト部材６２の一端側は、保持部材６５を介してケース５０と固定されている。また、ベルト部材６２の一端側と他端側には、互いに係合可能な面ファスナー（例えばマジックテープ（登録商標）など）６３ａ、６３ｂがそれぞれ取り付けられている。このベルト部材６２は、図５（Ａ）のような状態から図５（Ｂ）のように折り曲げられたときに他端側の面ファスナー６３ａが一端側の面ファスナー６３ａに重なるように一端側と他端側が圧着固定可能とされている。
【００２８】
また、ケース体５０の下ケース５２において後端部寄りの位置に、ベルト部材６２を挿通可能なベルト通し５４が設けられている。そして、このベルト通し５４にベルト部材６２の他端側を通して一端側に折り返し、面ファスナー６３ａと面ファスナー６３ａとを互いに重ね合わせるように圧着することで、図１（Ｂ）、図３のようにベルト部材６２の他端側が一端側に固定されるようになっている。そして、この固定状態のときに、ベルト部材６２はケース５０の下面側の壁部５０ｂと重なる積層形態で配されるようになっており、より具体的には、壁部５０ｂの下側にベルト部材６２の面ファスナー６３ａ付近の部分が重なり、その部分の更に下側にベルト部材６２の面ファスナー６３ｂの部分が重なるようになっている。なお、このベルト部材６２は、一端側と他端側の係合位置（圧着位置）を変更することができるように構成されているため、この位置を変更することによって、当該ベルト部材６２と下ケース５２との間に形成される隙間、つまりユーザの手が入る間隔を調整することができる。
【００２９】
保持部材６５は、樹脂などから構成され、ベルト部材６２よりも幅が広く設定されており、一端側が下ケース５２に設けられる固定部５５に固定されている。また、保持部材６５の一端側の下面は、ベルト部材６２の一端側（面ファスナー６３ａが設けられた側）の上面と接合されている。保持部材６５の他端側には、ベルト部材６２を挿通可能な挿通孔６６が設けられている（図５）。そして、図５（Ａ）のようにベルト部材６２の一端側を保持部材６５の下面側に固定し、この固定部分よりも他端側を当該保持部材６５の下面側から上面側に通すようにベルト部材６２を挿通孔６６に挿し通すことで、ベルト部材６２の一端と他端の間（ベルト部材６２の中央付近）が、保持部材６５に保持されるようになっている。そして、図３及び図５に示すように、長手状に構成される保持部材６５においてベルト部材６２の両側方に、２つのタッチペン収容部６７が設けられている。
【００３０】
これらタッチペン収容部６７は、長手状且つ円筒状に構成されると共に保持部材６５に一体的に設けられており、内部にタッチペンを挿し通すように収容可能とされている。また、これら２つのタッチペン収容部６７は、互いに略平行となるように保持部材６５に設けられている。具体的には、図１（Ｂ）、図２、図４に示すように、ベルト部材６２の他端側が挿通孔６６に通され、当該ベルト部材６２の一端側と他端側が固定されて、ベルトユニット６０がケース５０に取り付けられたときに（即ち、壁部５０ｂ、面ファスナー６３ａ、６３ｂが重なるように取り付けられたときに）、これらタッチペン収容部６７はケース５０の後方側（長手方向他端部寄り）において当該ケース５０の長手方向に沿って配されるようになっている。またこのとき、各タッチペン収容部６７は、ボタン領域αの裏側に配置されることとなる。
【００３１】
そして、これらタッチペン収容部６７は、図１（Ｂ）及び図４に示すように、ケース５０の下面側からの突出量がその取り付けられたベルト部材６２の突出量（重ね合わされたベルト部材６２の厚み）よりも大きくなるように構成されている。さらに、両タッチペン収容部６７の裏面からの突出量は略均等とされている。このように構成されているため、ベルト部材６２を図１（Ｂ）のようにケース体５０に取り付けた状態で携帯端末１を平坦な載置面Ｆ上に載置したときに、少なくともベルト部材６２の両側方に配置される２つのタッチペン収容部６７が載置面Ｆに当接することになる。ベルト部材６２は、大きくテンションがかかった状態で固定されている場合には下方側への撓みが少なくなるため、このような場合、携帯端末１を平坦な載置面に載置したときにベルト部材６２が載置面に接触しなくなる。また、面ファスナー６３ａ、６３ｂが互いに重ね合わされたときのベルト部材６２の厚みよりもタッチペン収容部６７の下方への突出量の方が大きくなっているため、ある程度下方に撓み得る構成で固定されていたとしても、載置面からの力はほぼタッチペン収容部６７で受けることになり、ベルト部材６２は載置面に接触したとしても上方へ退避可能な状態で載置面に接触することになる。従って、いずれの場合にもベルト部材６２には載置面からの力が大きく加わらなくなり、載置面からの力をベルト部材６２のみによって受けることに起因する不安定状態を解消することができる。
【００３２】
さらに、上述したように、読取口７がケース５０の下面側に突出しており、この読取口７の端部７ａと、２つのタッチペン収容部６７とが載置面Ｆに当接して支持されることとなる。即ち、ケース５０の前端側は読取口７付近が載置面Ｆに当接して当該載置面Ｆに支持され、ケース５０の後端側は２つのタッチペン収容部６７が載置面Ｆに当接して当該載置面Ｆに支持されることになる。従って、ケース５０は、前後に離れた位置（読取口７付近の位置とタッチペン収容部６７の位置）且つ左右に離れた位置（両タッチペン収容部６７の位置）を支持位置としてより安定的に支持されることになり、ケース５０を載置面Ｆに載置したときにタッチパネル５や操作ボタン１４の操作がより行いやすくなる。
【００３３】
（第１実施形態の主な効果）
以上説明したように、本第１実施形態に係る携帯端末１では、ベルトユニット６０がケース５０に取り付けられたときにケース５０の裏面側の壁部と重なる積層形態で配されるようにベルト部材６２が設けられている。このように構成されているため、例えば、ユーザはベルト部材６２と下ケース５２の間に手を通すようにケース５０を把持することができ、このように把持して用いる場合には、仮に把持する手に緩みや滑りが生じたとしても、装置が完全に落下する前にベルト部材６２が手に引っ掛かりやすく、装置が完全に落下してしまうことを防ぎやすくなる。
【００３４】
また、ベルトユニット６０に、２つのタッチペン収容部６７が設けられており、それらタッチペン収容部６７は、ベルトユニット６０がケース５０に取り付けられたときにベルト部材６２の両側方に配され且つベルト部材６２よりも裏面から突出するように構成されており、両タッチペン収容部６７の裏面からの突出量が略均等とされている。この構成によれば、ベルト部材６２の側方のスペースを効率的に利用してタッチペンを収容することができる。また、２つのタッチペン収容部６７のケース５０裏面からの突出量が取り付けられたベルト部材６２の突出量よりも大きくなるように構成されているため、携帯端末１を平坦な載置面Ｆ上に載置したときにベルト部材６２のみが載置面Ｆに当接するようなことがなく、少なくともベルト部材６２の両側方に配置される２つのタッチペン収容部６７が載置面Ｆに当接するようになる。従って、ベルト部材６２のみが載置面Ｆに支持されることに起因する不安定な載置状態が生じなくなり、ある程度の距離を隔てた２つのタッチペン収容部６７が載置面Ｆに支持されるような安定的な載置状態となる。
【００３５】
また、ベルトユニット６０が、ベルト部材６２を保持する保持部材６５を備えており、２つのタッチペン収容部６７が、保持部材６５においてベルト部材６２の両側方に設けられている。この構成によれば、ケース５０からタッチペン収容部６７を省略することができ、ケース５０の構成、形状を簡素化することができる。特に、ケース５０とは別部材で構成される保持部材６５にタッチペン収容部６７を設けることで、ケース５０の設計的な自由度を大きくすることができる。
【００３６】
また、ケース５０には、裏面側に突出して配され、且つ光学情報媒体を読み取る読取口７が設けられている。また、ケース５０の裏面側を平坦な載置面Ｆ上に当接させるように載置したときに、読取口７の端部７ａと、２つのタッチペン収容部６７とが載置面Ｆに当接して支持されるようになっている。
この構成によれば、携帯端末１を載置面Ｆに載置したときに読取口７と２つのタッチペン収容部６７とを載置面Ｆに当接させて安定化を図ることができる。即ち、互いに距離を隔てた少なくとも３位置が載置面Ｆに支持されることになるため、２つのタッチペン収容部６７が対向する方向だけでなく、他の方向への傾き、グラつきも抑制することができ、載置時の一層の安定化を図ることができる。
【００３７】
また、ケース５０が長手状に構成され、読取口７は、ケース５０の長手方向一端部側に設けられている。そして、２つのタッチペン収容部６７は、ケース５０の長手方向他端部寄りに設けられている。
この構成では、携帯端末１を載置面Ｆに載置したときに、ケース５０の幅方向のグラつき、傾きについては、２つのタッチペン収容部６７を載置面Ｆに支持させることで抑制することができる。また、ケース５０の長手方向（前後方向）のグラつき、傾きについては、長手方向一端側において読取口７を載置面Ｆに支持させ、他端側において２つのタッチペン収容部６７を載置面Ｆに支持させることで抑制することができる。つまり、把持しやすい長手状のケース５０を構成しつつ載置時には長手方向のグラつき、傾きについても、幅方向のグラつき、傾きについても効果的に抑制することができ、安定的な載置、操作が可能となる。
【００３８】
また、２つのタッチペン収容部６７が、互いに略平行となるように設けられている。この構成によれば、携帯端末１を平坦な載置面Ｆ上に載置したときに、２つのタッチペン収容部６７を当該載置面Ｆに対して全体的にバランス良く密着させることができ、よりバランス良く安定的に載置することができる。
【００３９】
また、ケース５０の表面側において複数の操作ボタン１４が配列されたボタン領域αが設けられており、２つのタッチペン収容部６７は、ボタン領域αの裏側に配置されている。
この構成によれば、携帯端末１を平坦な載置面Ｆ上に載置したときに、少なくともボタン領域αの裏側において２つのタッチペン収容部６７が載置面Ｆに安定的に支持されることになる。従って、ボタン領域αの操作ボタン１４を押圧操作する際に、押圧操作に起因するグラつきや傾きをより低減することができ、操作性を効果的に高めることができる。
【００４０】
［他の実施形態]
本発明は上記記述及び図面によって説明した実施形態に限定されるものではなく、例えば次のような実施形態も本発明の技術的範囲に含まれる。
【００４１】
上記実施形態では、ベルトユニット６０に、タッチペン収容部６７が設けられた構成を例示したが、タッチペン収容部６７はケース５０側に設けられる構成とすることもできる。
【００４２】
上記実施形態では、ベルトユニット６０に、２つのタッチペン収容部６７が設けられた構成を例示したが、携帯端末１を載置面Ｆ上に安定的に載置できる構成であれば、タッチペン収容部６７が３つ以上設けられていてもよい。
【００４３】
上記実施形態では、ベルト部材６２と下ケース５２との間にユーザの手を通す構成としたが、ベルト部材６２間にユーザの手を通す構成とすることもできる。
【符号の説明】
【００４４】
１…携帯端末
４…表示装置
４ａ…表示画面
５…タッチパネル
７…読取口
７ａ…端部
１０…制御部
１２…スピーカ
１４…操作ボタン
１３…トリガスイッチ
１６…メモリ
３０…情報コード読取部
５０…ケース（ケース本体）
５１…上ケース
５２…下ケース
５４…ベルト通し
５５…固定部
６０…ベルトユニット
６２…ベルト部材
６３ａ、６３ｂ…マジックテープ
６５…保持部材
６６…挿通孔
６７…タッチペン収容部
Ｃ…情報コード
Ｆ…載置面
Ｒ…読取対象
α…ボタン領域
【図１】
0005724759.tif 000002
【図２】
0005724759.tif 000003
【図３】
0005724759.tif 000004
【図４】
0005724759.tif 000005
【図５】
0005724759.tif 000006